(57)【要約】【課題】  ワンタッチで極めて容易に、しかも強固な８の字状固定を行なうことができる足関節サポーターの提供。【解決手段】  固定用ベルトを備えた足関節サポーターであって、当該固定用ベルトが略Ｖ字状部を形成する長尺ベルト片部と短尺ベルト片部の連成体から成り、かつその略Ｖ字状部の谷部ベルト側面にサポーター本体の面ファスナー部と止脱する面ファスナー部が設けられていると共に、当該長尺ベルト片部がサポーター本体の足裏対応部の外表面を経て、足関節前面部において８の字状に交差するように、当該固定用ベルトの長尺ベルト片部側の端部と短尺ベルト片部側の端部がサポーター本体の一方の側面部に取り付け固定されている足関節サポーター。【選択図】  図１
2006305208.tif 000002
【特許請求の範囲】
【請求項１】
固定用ベルトを備えた足関節サポーターであって、当該固定用ベルトが略Ｖ字状部を形成する長尺ベルト片部と短尺ベルト片部の連成体から成り、かつその略Ｖ字状部の谷部ベルト側面にサポーター本体の面ファスナー部と止脱する面ファスナー部が設けられていると共に、当該長尺ベルト片部がサポーター本体の足裏対応部の外表面を経て、足関節前面部において８の字状に交差するように、当該固定用ベルトの長尺ベルト片部側の端部と短尺ベルト片部側の端部がサポーター本体の一方の側面部に取り付け固定されていることを特徴とする足関節サポーター。
【請求項２】
長尺ベルト片部側の端部と短尺ベルト片部側の端部が、サポーター本体の側面に形成されたステー挿入用ポケットの前方側エッジ部に取り付け固定されていることを特徴とする請求項１記載の足関節サポーター。
【請求項３】
短尺ベルト片部側の端部が、長尺ベルト片部側の端部より上方位で取り付け固定されていることを特徴とする請求項１又は２記載の足関節サポーター。
【請求項４】
サポーター本体が、足裏対応部の外表面に長尺ベルト片部挿通用ループを備えていることを特徴とする請求項１〜３の何れか１項記載の足関節サポーター。
【請求項５】
サポーター本体が、装着時足先と踵が露出する筒状部を有し、かつ足首後背側に面ファスナーによる重ね合せ支着片を有すると共に、当該重ね合せ止着部を上面から更に固定する背面ベルトを備えていることを特徴とする請求項１〜４の何れか１項記載の足関節サポーター。
【発明の詳細な説明】
【技術分野】
【０００１】
本発明は足関節サポーター、更に詳細には足関節を８の字状に固定し得るベルトを備えた足関節サポーターに関する。
【背景技術】
【０００２】
８の字状固定（フィギアエイト）は、足関節の前方動揺を抑制するテーピングの理論として一般に認知汎用されている。
そこで、足関節サポーターの分野においても、一本の長いストラップ部で８の字状に固定する形態の足関節テーピングサポーター（例えば、特許文献１参照）や、サポーター本体と略Ｔ字状に連成されたベルト片を交差してその両端を固定する形態の足関節サポーター（例えば、特許文献２参照）が既に知られている。
【０００３】
しかしながら、前者の場合には一本の長いストラップ部で８の字状に巻き付けて固定するものであるため、装着者に取って具体的な巻き付け方法が分からず、装着に手間取ると云う問題があった。
また、後者の場合には、ベルト片による交差は容易であるものの、その両端をそれぞれ固定しなければならないため、ワンタッチで強固に８の字状固定を行なうことは困難なのが実状であった。
【特許文献１】特開平１０−２４８８６５号公報
【特許文献２】特開平１１−３１８９６３号公報
【発明の開示】
【発明が解決しようとする課題】
【０００４】
本発明は上記の如き従来の問題と実状に鑑みてなされたもので、ワンタッチで極めて容易に、しかも強固な８の字状固定を行なうことができる足関節サポーターを提供することを課題としている。
【課題を解決するための手段】
【０００５】
本発明は、上記の課題を、固定用ベルトを備えた足関節サポーターであって、当該固定用ベルトが略Ｖ字状部を形成する長尺ベルト片部と短尺ベルト片部の連成体から成り、かつその略Ｖ字状部の谷部ベルト側面にサポーター本体の面ファスナー部と止脱する面ファスナー部が設けられていると共に、当該長尺ベルト片部がサポーター本体の足裏対応部の外表面を経て、足関節前面部において８の字状に交差するように、当該固定用ベルトの長尺ベルト片部側の端部と短尺ベルト片部側の端部がサポーター本体の一方の側面部に取り付け固定されている足関節サポーターによって解決したものである。
【発明の効果】
【０００６】
本発明の足関節サポーターを用いれば、足関節部にサポーター本体を装着し、固定用ベルトにおける略Ｖ字状部の谷部ベルト側面の面ファスナー部を、単にサポーター本体の面ファスナー部に止着するだけで、長尺ベルト片部が足裏を経て、足関節前面部において自然に８の字状に交差した状態となるので、ワンタッチで極めて容易に、しかも強固な８の字状固定を行なうことができる。
【発明を実施するための最良の形態】
【０００７】
本発明において、固定用ベルトの取り付けは、サポーター本体の側面に形成されたステー挿入用ポケットの前方側エッジ部に、長尺ベルト片部側の端部と短尺ベルト片部側の端部を取り付け固定するのが、当該ステー挿入用ポケットに挿入されたステーの広がりを抑えつつ、８の字状の固定力をより向上せしめることができるので望ましい。
【０００８】
また、長尺ベルト片部側の端部と、短尺ベルト片部側の端部との取り付け位置関係としては、短尺ベルト片部側の端部が、長尺ベルト片部側の端部より上方位となる位置で取り付け固定するのが、長尺ベルト片部による８の字状交差をスムースに行なうことができると共に、短尺ベルト片部のサポーター本体への止着による水平方向の固定をスムースに行なうことができるので望ましい。
【０００９】
また、サポーター本体としては、その足裏対応部の外表面に長尺ベルト片部挿通用ループが備えられているものが、長尺ベルト片部を当該ループに挿通することにより、長尺ベルト片部が足裏を経ている状態を常に保持できる結果、長尺ベルト片部による８の字状交差をよりスムースに行なうことができるので望ましい。
【００１０】
また、サポーター本体としては、装着時足先と踵が露出する筒状部を有し、かつ足首後背側に面ファスナーによる重ね合せ支着片を有すると共に、当該重ね合せ止着部を上面から更に固定する背面ベルトを備えているものが、足関節への装着操作が容易で、しかも強固に足関節全体を固定することができるので望ましい。
【実施例】
【００１１】
以下本発明の実施例を図面と共に説明する。
【００１２】
本発明足関節サポーターの概略正面説明図を示す図１において、１０は外表面が面ファスナーから成るサポーター本体で、装着時足先と踵が露出する筒状部１１と、足首後背側において面ファスナーによる重ね合せ支着片部１２、１３を有する被覆部との連成体から構成されている。このサポーター本体１０の足首後背側の下部には、面ファスナー１４ａによるサポーター本体１０との止脱自在のアキレス腱部固定ベルト１４が付設されていると共に、足首後背側の上部には、当該重ね合せ支着片部１２、１３を重ね合せた後、その上面から面ファスナー１５ａにより更に固定する背面ベルト１５が付設され、更に、図２に示すように、当該筒状部１１の外底面には長尺ベルト片部挿通用ループ１６が付設されている。
【００１３】
２１、２２はステー挿入用ポケットで、サポーター本体１０の両側面に形成され、その内部に足関節を内外両外方から固定保護するステー（図示省略）がそれぞれ挿入されていると共に、当該ステー挿入用ポケット２１、２２の外表面には面ファスナー部２１ａ、２２ａがそれぞれ設けられている。
【００１４】
３０は固定用ベルトで、図３に示すように、略Ｖ字状部を形成する長尺ベルト片部３１と短尺ベルト片部３２の連成体から構成されていると共に、その略Ｖ字状部の谷部ベルト側面には、サポーター本体１０の面ファスナー部２１ａと止脱する面ファスナー部３０ａが設けられている。
尚、この固定用ベルト片３０は、別体の長尺ベルト片部３１と短尺ベルト片部３２を略Ｖ字状に連結して構成しても良く、あるいはまた一本のベルトを略Ｖ字状に折り返し、その状態を縫合等の手段により固定して構成しても良い。
【００１５】
固定用ベルト３０は、その一端、すなわち長尺ベルト片部３１側の端部が、足関節外方側のステー挿入用ポケット２２の前方側エッジ部に取り付け固定されていると共に、当該長尺ベルト片部３１が筒状部１１の長尺ベルト片部挿通用ループ１６を通って、装着固定時足関節前面部において８の字状に交差し得るように、かつまた短尺ベルト片部３２が装着固定時水平となるように、固定用ベルト３０の他端、すなわち短尺ベルト片部３２側の端部が、当該長尺ベルト片部３１側の端部取り付け位置より上方位において、同一のステー挿入用ポケット２２の前方側エッジ部に取り付け固定されている。
【００１６】
次に、斯かる本発明足関節サポーターの装着方法を説明する。
まず、サポーター本体１０の後背側から筒状部１１内に足を入れ、足先と踵を該筒状部１１外に露出せしめる。次いで、図４に示すように、重ね合せ止着片部１２、１３を順次面ファスナーにより重ね合せた後、サポーター本体１０の後背側においてアキレス腱部固定ベルト１４を、その面ファスナー１４ａにより、ステー挿入用ポケット２２の面ファスナー部２２ａに止着固定する。次いで、図５に示すように、当該重ね合せ止着片部１２、１３の上面から背面ベルト１５を、その面ファスナー１５ａにより、ステー挿入用ポケット２１の面ファスナー部２１ａに止着固定する。
【００１７】
次いで、固定用ベルト３０の略Ｖ字状部の面ファスナー部３０ａを、図６に示すように、ステー挿入用ポケット２１の面ファスナー部２１ａに止着固定すれば、図７に示すように、足関節前面部において、長尺ベルト片部３１が足裏を巻回しつつ８の字状に交差固定すると共に、短尺ベルト片部３２が水平方向に固定するので、足関節部が強固に固定される。
【図面の簡単な説明】
【００１８】
【図１】本発明足関節サポーターの概略正面説明図。
【図２】本発明足関節サポーターの筒状部における概略底面説明図。
【図３】固定用ベルトのみの概略正面説明図。
【図４】本発明足関節サポーターの装着途中の状態を示す概略背面説明図。
【図５】本発明足関節サポーターの装着完了後の状態を示す概略背面説明図。
【図６】本発明足関節サポーターの装着完了後の状態を示す概略右側面説明図。
【図７】本発明足関節サポーターの装着完了後の状態を示す概略正面説明図。
【符号の説明】
【００１９】
１０：サポーター本体
１１：筒状部
１２、１３：支着片部
１４：アキレス腱部固定ベルト
１５：背面ベルト
１６：ループ
２１、２２：ステー挿入用ポケット
３０：固定用ベルト
３１：長尺ベルト片部
３２：短尺ベルト片部
【図１】
2006305208.tif 000003
【図２】
2006305208.tif 000004
【図３】
2006305208.tif 000005
【図４】
2006305208.tif 000006
【図５】
2006305208.tif 000007
【図６】
2006305208.tif 000008
【図７】
2006305208.tif 000009